(57)【要約】【課題】筒状の外箱からトレー状の中舟が離脱しない、外箱と中舟との間の係止構造が簡単であって、作製費用が廉価あり、充填包装ラインにも適応できるスライド式カートンを提供することにある。【解決手段】本発明は、折れ線を介してそれぞれ長方形状の、外箱側板、外箱上板、外箱側板、外箱下板、外箱糊代板、外箱係止片を、順に連設して、両縁部となる外箱側板と外箱糊代板を貼り合わせて、外箱係止片を外箱上板の裏面側に位置するように形成した筒状の外箱に、前側板、後側板、左右側板からなる側板を、底板から立ち上がるように連設し、該側板に中舟係止片を設けたトレー状の中舟を挿入してなることを特徴とするスライド式カートンであり、中舟係止片を後側板の上辺、または、左右側板の上辺に折れ線を介して設けたことを特徴とする。【選択図】図１
2006001613.tif 000002
【特許請求の範囲】
【請求項１】
外箱側板、外箱上板、外箱側板、外箱下板からなる四角筒状の開口端辺の一部に外箱係止片を設け、裏面側に折り返して形成した外箱に、前側板、後側板、左右側板からなる側板を、底板から立ち上がるように連設し、前記側板に中舟係止片を設け、折り曲げて形成したトレー状の中舟を挿入してなることを特徴とするスライド式カートン。
【請求項２】
前記外箱係止片を、前記外箱上板の前端辺に設け、前記外箱上板の裏面側に折り返して設けたことを特徴とする請求項１に記載のスライド式カートン。
【請求項３】
前記中舟係止片を前記後側板の上辺に折れ線を介して設け、内方に折り曲げて形成したことを特徴とする請求項２に記載のスライド式カートン。
【請求項４】
前記中舟係止片を前記左右側板の上辺に折れ線を介して設け、内方に折り曲げて形成したことを特徴とする請求項２に記載のスライド式カートン。
【請求項５】
前記外箱係止片を、前記外箱側板の前端辺に連設し、前記外箱側板の裏面側に折り返して設けたことを特徴とする請求項１に記載のスライド式カートン。
【請求項６】
前記中舟係止片を前記左右側板の上辺に折れ線を介して設け、前記左右側板の外方に折り曲げて形成したことを特徴とする請求項５に記載のスライド式カートン。
【発明の詳細な説明】
【技術分野】
【０００１】
本発明は、筒状の外箱とトレー状の中舟からなり、外箱の中に挿入された中舟が必要以上に飛び出さないように、外箱と中舟との間に係止構造が設けられているスライド式カートンに関するものである。
【背景技術】
【０００２】
従来から、菓子、食品、たばこ等を収納する、前後面を開放した四角筒状の外箱に、上面を開放したトレー状の中舟を、挿入した形状のスライド式カートンが、カートン形態の一つとして広く使用されている。
【０００３】
また、このスライド式カートンの形状では、外箱から中舟をスライドさせて中舟の中に収納した内容物を取り出す時に、中舟が必要以上に外箱から飛び出し、さらには、外箱から抜け出てしまうという問題がある。従って、中舟が必要以上に外箱から飛び出さないように、外箱と中舟との間に係止構造が設けられている形状が多く提案されている（例えば、特許文献１参照。）。
【特許文献１】実開昭５６−６８６１６号公報
【発明の開示】
【発明が解決しようとする課題】
【０００４】
しかしながら、係止機能および製造方法の点で必ずしも充分満足するものではなく、筒状の外箱からトレー状の中舟が離脱しない、外箱と中舟との係止構造が簡単であって、作製費用が廉価なスライド式カートンが要請されているものである。
【課題を解決するための手段】
【０００５】
本発明は、外箱側板、外箱上板、外箱側板、外箱下板からなる四角筒状の開口端辺の一部に外箱係止片を設け、裏面側に折り返して形成した外箱に、前側板、後側板、左右側板からなる側板を、底板から立ち上がるように連設し、前記側板に中舟係止片を設け、折り曲げて形成したトレー状の中舟を挿入してなることを特徴とするスライド式カートンであり、前記外箱係止片を、前記外箱上板の前端辺に設け、前記外箱上板の裏面側に折り返して設けたことを特徴とするものである。
【０００６】
また、前記中舟係止片を前記後側板の上辺に折れ線を介して設け、内方に折り曲げて形成した、あるいは、前記中舟係止片を前記左右側板の上辺に折れ線を介して設け、内方に折り曲げて形成した形状とすることもできる。
さらに、前記外箱係止片を、前記外箱側板の前端辺に連設し、前記外箱側板の裏面側に折り返して設けた形状とすることもでき、そして、前記中舟係止片を前記左右側板の上辺に折れ線を介して設け、前記左右側板の外方に折り曲げて形成した形状とすることもできる。
【発明の効果】
【０００７】
本発明のスライド式カートンにおいては、外箱の外箱上板または外箱側板の前端辺に外箱係止片を設けて外箱上板または外箱側板の裏面側に折り返し、一方、この外箱係止片と対応して、中舟の側板の上辺に中舟係止片を設けたことによって、挿入した中舟を引き出した時に、外箱の外箱係止片と中舟の中舟係止片とが係止し、所定の位置以上は筒状の外箱からトレー状の中舟が離脱することがなく、外箱と中舟との間の係止構造が簡単なスライド式カートンを得ることができるものである。
【０００８】
また、本発明のスライド式カートンにおいては、通常の打抜型を用いた打抜工程で、スライド式カートンの外箱と中舟とのブランクを作製することができ、それぞれ通常の製函工程で、量産が可能であり、作製費用が廉価なスライド式カートンを得ることができるものである。
【０００９】
さらに、外箱と中舟との間の係止構造が簡単であることからカートンの組み立てが容易であり、高速包装充填ラインに適応できるという効果を有するものである。
【発明を実施するための最良の形態】
【００１０】
以下、図面によって本発明によるスライド式カートンをさらに詳細に説明する。
【００１１】
図１は、本発明によるスライド式カートンの第一の実施形態を示す斜視図であり、機能を説明する図である。長方形状の、外箱側板２１、外箱上板２２、外箱側板２３、外箱下板２４からなり、外箱上板２２の前端辺に連設した外箱係止片２６を外箱上板２２の裏面側に折り返して形成した筒状の外箱２に、前側板１２、後側板１３、左右側板１４、１４からなる側板を、底板１１から立ち上がるように連設し、後側板１３に中舟係止片１８を連設し、内方に折り曲げて形成したトレー状の中舟１を挿入してなる本発明によるスライド式カートンＡの組み立てた状態を示している。図１−ａは、中舟１の収納位置を示し、図１−ｂは、中舟１を前方に押し出して、所定の位置までスライドさせた位置を示し、この位置で適量の内容物を取り出した後、再度、図１−ａに示す収納位置にまで中舟１を押し戻すことができる。
【００１２】
本発明によるスライド式カートンＡの特徴的なポイントは、中舟１に設けた中舟係止片１８が、外箱係止片２６で係止されることにより、外箱２から中舟１が抜け落ちたり、必要以上にスライドしてしまうことがないことである。すなわち、外箱２から中舟１を引き出した場合、所定の距離を引き出した時に、図１−ｂに示すように、中舟１の後側板１３に設けた中舟係止片１８の前端が、外箱２の外箱上板２２に設け、外箱上板２２の裏面側に折り返された外箱係止片２６で係止されることによって、中舟１のさらなる前方向へのスライドが防止されていることである。従って、この距離を越えて中舟１がスライドすることがなく、中舟１が外箱２から抜け落ちることを防ぐことができる。
【００１３】
図２は、本発明によるスライド式カートンＡの中舟１と外箱２のブランクの展開図である。中舟のブランク１０は、図２−ａに示すように、矩形状の底板１１の上辺に折れ線ａを介して前側板１２を連設し、下辺に折れ線ｂを介して後側板１３を連設し、左右の辺に折れ線ｃ、ｃを介して左右側板１４、１４を連設している。また、前側板１２の上辺には折れ線ｆを介して差し込み片１７を連設し、後側板１３の下辺には折れ線ｇを介して中舟係止片１８を設け、左右側板１４、１４の前辺には折れ線ｄ、ｄを介して上折り込み片１５、１５をそれぞれ連設し、後側辺には折れ線ｅ、ｅを介して下折り込み片１６、１６をそれぞれ連設している。
【００１４】
外箱のブランク２０は、図２−ｂに示すように、全体が略矩形状であり、外箱側板２１、外箱上板２２、外箱側板２３、外箱下板２４、外箱糊代片２５を順次折れ線ｈ、ｉ、ｊ、ｋを介して連設している。そして、外箱上板２２の上辺には折れ線ｌを介して外箱係止片２６を設けている。この外箱係止片２６は、外箱に組み立てられた状態では、外箱上板２２の裏面側に位置しているが、外箱上板２２の裏面に貼り合せて固定してもよい。また、外箱係止片２６の形状、位置、大きさは、中舟係止片１８を係止することができるように適宜設定する。
【００１５】
図３は、本発明によるスライド式カートンＡの中舟１と外箱２の斜視図である。中舟１は、図３−ａに示すように、完成時の実際の形状は四角トレー状である。本発明によるスライド式カートンＡの中舟１を成形するには、まず、底板１１を中心にして、左右側板１４、１４を折れ線ｃ、ｃで上方に直角に折り曲げ、前側辺に連設している上折り込み片１５、１５を折れ線ｄ、ｄで内側に直角に折り曲げ、後側辺に連設している下折り込み片１６、１６を折れ線ｅ、ｅで内側に直角に折り曲げる。ついで、前側板１２を折れ線ａで、後側板１３を折れ線ｂでそれぞれ上方に直角に折り曲げる。内容物を収納した後に、前側板１２に連設している差し込み片１７を折れ線ｆで内側に直角に折り曲げ、後側板１３に連設している中舟係止片１８を折れ線ｇで内側に直角に折り曲げることにより組み立てることができる。この中舟係止片１８の先端部が係止構造の重要な構成要素となる。
【００１６】
外箱２は、図３−ｂに示すように、角柱状であって、その成形は、外箱２のブランク２０を折れ線ｉ、ｋで三つ折りし、外箱糊代片２５と外箱側板２１を接着して得られるフラットに折り畳まれた外箱２を角柱状に起こせばよい。この外箱上板２２には外箱係止片２６が設けられており、起こした状態で外箱上板２２の裏面側に位置し、中舟１の中舟係止片１８を係止し、係止構造の重要な構成要素となっている。なお、この係止構造は、外箱上板２２の裏面側にあって、通常の板紙をブランク基材として使用する場合には表面からは目視できない。
【００１７】
また、本発明によるスライド式カートンＡの中舟１の形状としては、上記の形態に限定されることなく、本発明の要旨を逸脱しない範囲内で種々の変形が可能である。
【００１８】
例えば、図４−ａに示すように、中舟係止片１８の側辺にさらに中舟係止側片１８ａを設けた形状とすることができる。この中舟係止側片１８ａを設けることにより、後側板１３のずれが少なくなり、中舟１ａが変形することなく、中舟１ａを外箱２に確実に係止することができる。
【００１９】
また、図４−ｂに示すように、中舟係止片１８と折り込み片１９、１９とをロックする形状の中舟１ｂとすることができる。このように、後側板１３と中舟係止片１８との折れ線の両端部に切り込みを入れる等の方法で中舟係止片１８と折り込み片１９、１９とをロックすることにより、後側板１３のずれがなくなり、中舟１ｂが変形することなく、中舟１ｂ外箱２に確実に係止することができる。
【００２０】
また、図４−ｃに示すように、後側板１３と折り込み片１９、１９とを貼り合せた形状の中舟１ｃとすることができる。このように、後側板１３と折り込み片１９、１９とを貼り合せることにより、中舟１ｃが変形することなく、中舟１ｃを外箱２に確実に係止することができる。
【００２１】
また、図４−ｄに示すように、後側板１３に折り返し板１７ｂを連設し、この折り返し板１７ｂを後側板１３の裏側に折り返して固定すると同時に、折り返し板１７ｂに切り込みを入れて形成した中舟係止片１８を後側板１３から直角に起こした状態に保持した形状の中舟１ｄとすることができる。このように、後側板１３の裏側に折り込まれた折り込み板１７ｂにより、中舟１ｄが変形することなく、中舟１ｄを外箱２に確実に係止することができる。
【００２２】
また、図４−ｅに示すように、中舟係止片１８を左右側板１４、１４の上辺の一部に設けた形状の中舟１ｅとすることもできる。
【００２３】
また、本発明によるスライド式カートンＡの外箱２の形状としても、上記の形態に限定されることなく、本発明の要旨を逸脱しない範囲内で種々の変形が可能である。
【００２４】
例えば、図５−ａに示すように、外箱上板２２の上辺の一部に外箱係止片２６を設けた形状の外箱２ａとすることができる。このように、外箱上板２２の上辺の一部に外箱係止片２６を設けることにより、省スペースによる材料の削減が計れる。
【００２５】
また、図５−ｂに示すように、外箱上板２２の上辺の一部を一段下げた形状の外箱２ｂとすることができる。このように、外箱上板２２の上辺の一部を一段下げた辺に外箱係止片２６を設けることにより、省スペースによる材料の削減が計れ、また、中舟１を外箱２ｂから引き出しやすくなり、かつ、開口部が拡がり内容物も取り出しやすくなる。
【００２６】
また、図５−ｃに示すように、外箱係止片２６の両側辺または一側辺に外箱係止側片２６ａを連設した形状の外箱２ｃとすることができる。このように、外箱係止側片２６ａを設けることにより、外箱係止片２６を外箱上板２２の裏面に貼り合わせない状態でも、固定されて、中舟１を外箱２ｃに確実に係止することができる。
【００２７】
図６は、本発明によるスライド式カートンの第二の実施形態を示す斜視図であり、機能を説明する図である。長方形状の、外箱側板２１、外箱上板２２、外箱側板２３、外箱下板２４からなり、外箱側板２３の前端辺に設けた外箱係止片２６を外箱側板２３の裏面側に折り返して形成した筒状の外箱２に、前側板１２、後側板１３、左右側板１４、１４からなる側板を、底板１１から立ち上がるように連設し、外箱側板２３に対応する右側板１４に中舟係止片１８を設け、その右側板１４の外方に折り返して形成したトレー状の中舟１を挿入してなる本発明によるスライド式カートンＢの組み立てた状態を示している。図６−ａは、中舟１の収納位置を示し、図６−ｂは、中舟１を前方に押し出して、所定の位置までスライドさせた位置を示しており、この位置で適量の内容物を取り出した後、再度、図６−ａに示す収納位置にまで中舟１を押し戻すことができる。
【００２８】
本発明によるスライド式カートンＢの特徴的なポイントは、スライド式カートンＡと同様に、中舟１に設けた中舟係止片１８が、外箱係止片２６で係止されることにより、外箱２から中舟１が抜け落ちたり、必要以上にスライドしてしまうことがないことである。すなわち、外箱２から中舟１を引き出した場合、所定の距離を引き出した時に、図６−ｂに示すように、中舟１の右側板１４に設け、外方に折り返した中舟係止片１８の前端が、外箱２の外箱側板２３に設けられ、外箱側板２３の裏面側に折り返された外箱係止片２６で係止されることによって、中舟１のさらなる前方向へのスライドが防止されていることである。従って、この距離を越えて中舟１がスライドすることがなく、中舟１が外箱２から抜け落ちることを防ぐことができる。
【００２９】
また、本発明によるスライド式カートンＢの中舟１の形状としては、上記の形態に限定されることなく、本発明の要旨を逸脱しない範囲内で種々の変形が可能である。
【００３０】
例えば、図４−ａに示すように、中舟係止片１８の側辺にさらに中舟係止側片１８ａを設けた形状とすることができる。この中舟係止側片１８ａは、中舟１の右側板１４の外方に位置し、外箱２の外箱側板２３の上辺に連設し、外箱側板２３の裏面側に折り返した外箱係止片２６と係止し、中舟１を外箱２に確実に係止することができる。
【００３１】
また、本発明によるスライド式カートンＢの中舟１と外箱２の組み合わせの形状としても、上記の形態に限定されることなく、本発明の要旨を逸脱しない範囲内で種々の変形が可能である。
【００３２】
例えば、図７−ａは、外箱側板２３の前端辺に外箱係止片２６を設け、その外箱係止片２６を外箱側板２３の裏面側に折り返して形成すると共に、外箱側板２３の後端辺にも外箱係止片２７を設け、その外箱係止片２７を外箱側板２３の裏面側に折り返して形成した外箱２に、外箱２の外箱側板２３と対応する右側板１４の上辺の両端から距離を持つ所定の位置に中舟係止片１８を設け、その中舟係止片１８を外方に折り返して形成した中舟１を挿入してなる本発明によるスライド式カートンＣの組み立てた状態を示し、また中舟１の収納位置を示している。図８−ｂは、中舟１を前方に押し出して、所定の位置までスライドさせた位置を示している。このように、外箱側板２３の前端辺と後端辺に外箱係止片２６、２７を設けることにより、中舟１が外箱２の前方から抜け出すのを防ぐと共に、後方からも抜け出すことを防ぐことができる。
【００３３】
また、本発明によるスライド式カートンＡおよびスライド式カートンＢの外箱２の形状としては、外箱２を開放された両端の下方を封止した有底の筒状としてもよい。（図は省略する）
【００３４】
本発明のスライド式カートンのブランク基材には、広範囲の板紙の使用が可能であるが、剛度が有り、耐折強度の強い、カード系、特板系が好適に使用できる。また長期にわたり使用する場合には折れ線や切れ目線等からの破壊等を起きにくくするために、ポリ塩化ビニル、ポリプロピレン、ポリエチレン、ポリエチレンテレフタレート、ポリカーボネート、ポリスチレン等のフィルムを板紙にラミネートするとよい。また、このラミネートによって防湿性の向上を図ることもできる。さらに、板紙に代わって、プラスチックシートをブランク基材に使用してもよい。例えば、タルク等のフィラーを混入して不透明にしたポリプロピレンシート、アモルファスポリエチレンテレフタレート等のシートをそのままブランク基材として使用することができる。また、内容物によっては透明プラスチックシートを使用して、中身を見せるようなスケルトン型にしてもよい。
【００３５】
また、ブランク基材への印刷にはオフセット、グラビア、シルクスクリーン等のいかなる周知の印刷方法を用いてもよい。またエンボス、箔押し、ＯＰニスコート等の後加工を行ってもよい。これら印刷及び後加工は板紙あるいはプラスチックのシート状での加工であるため美しい、迫力のあるシャープな仕上がりとなる。なお、本発明によるスライド式カートンには密封性を上げ、また塵埃の混入防止のため、成形充填後にスライド式カートン全体を防湿性プラスチックフィルムでオーバーラップすることが好ましい。
【産業上の利用可能性】
【００３６】
本発明によるスライド式カートンは、菓子、食品、たばこ等を収納するカートン形態の一つとして広く使用することができる。
【図面の簡単な説明】
【００３７】
【図１】本発明によるスライド式カートンの一実施形態を示す斜視図および機能説明図である。
【図２】本発明によるスライド式カートンの中舟と外箱のブランクを示す展開図である。
【図３】本発明によるスライド式カートンの中舟と外箱を示す斜視図である。
【図４】本発明によるスライド式カートンの中舟の他の例を示す斜視図である。
【図５】本発明によるスライド式カートンの外箱の他の例を示す斜視図である。
【図６】本発明によるスライド式カートンの別の実施形態を示す斜視図および機能説明図である。
【図７】本発明によるスライド式カートンの中舟と外箱の組み合わせの形状の他の例を示す斜視図である。
【符号の説明】
【００３８】
Ａ    本発明によるスライド式カートン
Ｂ    本発明によるスライド式カートン
Ｃ    本発明によるスライド式カートン
１    中舟
１０    ブランク（中舟）
１１    底板
１２    前側板
１３    後側板
１４    左右側板
１５    差し込み片
１６    上折り込み片
１７    下折り込み片
１８    中舟係止片
１８ａ  中舟係止側片
２    外箱
２０    ブランク（外箱）
２１    外箱側板
２２    外箱上板
２３    外箱側板
２４    外箱下板
２５    外箱糊代片
２６    外箱係止片
２７    外箱係止片（下方）
ａ〜ｌ  折れ線
ｍ    切り込み
【図１】
2006001613.tif 000003
【図２】
2006001613.tif 000004
【図３】
2006001613.tif 000005
【図４】
2006001613.tif 000006
【図５】
2006001613.tif 000007
【図６】
2006001613.tif 000008
【図７】
2006001613.tif 000009